(57)【特許請求の範囲】
【請求項１】
メモリーカードを装着するメモリーカード装着部を備えた機器本体と、
前記機器本体に取り付けられ、前記メモリーカード装着部へのメモリーカードの抜き差しを行うためのメモリーカード装着開口を開閉するメモリーカードカバーを備えたサイドパネルと、
を有する電子機器であって、
前記メモリーカードカバーは、前記メモリーカード装着部に対する前記メモリーカードの抜き差し方向と直交する方向に移動して前記メモリーカード装着開口を開閉するように前記サイドパネルに摺動自在に保持されており、
前記メモリーカードカバーは、前記メモリーカードの抜き差し方向に対して直交するように配置された板状部材とされ、前記板状部材には操作手段が形成されており、
前記サイドパネルは、前記サイドパネルを前記機器本体に装着した際、前記メモリーカード装着開口と整列するようにメモリーカードスロットが形成された内壁部材と、前記内壁部材に対し前記機器本体とは反対側に所定の空隙をもって配置され、前記内壁部材と協働して前記板状部材とされる前記メモリーカードカバーの両側端部を保持して前記メモリーカードの抜き差し方向に直交する方向に案内するガイド溝を形成し、且つ、前記メモリーカードカバーの前記操作手段の操作を可能とするための開口部が形成された外壁部材と、を有し、
前記サイドパネルを前記機器本体に装着する前に、前記メモリーカードカバーを前記ガイド溝の一側に形成したメモリーカードカバー挿入開口端から前記ガイド溝へと前記メモリーカードカバーの両側部を嵌合させて装着する、
ことを特徴とする電子機器。
【請求項２】
前記機器本体は、前記メモリーカードカバーが組み込まれた前記サイドパネルを前記機器本体に装着した時、前記ガイド溝の前記メモリーカードカバー挿入開口端に位置して前記メモリーカードカバー挿入開口端を閉鎖して前記メモリーカードカバーが前記メモリーカードカバー挿入開口端から飛び出すのを規制する規制部材を有していることを特徴とする請求項１に記載の電子機器。
【請求項３】
前記メモリーカードカバーの前記操作手段は、前記メモリーカードカバーから前記メモリーカードスロットとは反対方向へと突出した操作用突起であり、
前記外壁部材に形成した前記開口部は、前記操作用突起の、前記メモリーカードの抜き差し方向に対して直交する方向への移動を可能とする大きさとされ、
前記サイドパネルには、前記メモリーカードカバー挿入開口端の側に位置した前記内壁部材の端縁より前記メモリーカードスロットとは反対側領域に空間部を形成し、
前記サイドパネルを前記機器本体に装着する前に、前記メモリーカードカバーを、前記サイドパネルの前記機器本体に対面する側から前記空間部へと挿入して前記外壁部材の裏面に押し当て、前記メモリーカードカバーの前記操作用突起を前記外壁部材の前記開口部端縁と前記内壁部材端面との間に位置する前記開口部に挿入し、次いで、前記メモリーカードカバーを前記メモリーカードカバー挿入開口端から前記ガイド溝へと前記メモリーカードカバーの両側部を嵌合させて装着する、
ことを特徴とする請求項１に記載の電子機器。
【請求項４】
前記機器本体は、前記メモリーカードカバーが組み込まれた前記サイドパネルを前記機器本体に装着した時、前記内壁部材の前記空間部に位置し、前記内壁部材の前記端面に当接すると共に、前記ガイド溝の前記メモリーカードカバー挿入開口端に位置して前記メモリーカードカバー挿入開口端を閉鎖して前記メモリーカードカバーが前記メモリーカードカバー挿入開口端から飛び出すのを規制する規制部材を有していることを特徴とする請求項３に記載の電子機器。
【請求項５】
前記内壁部材の前記メモリーカードカバーと対面する側面には、前記メモリーカードカバーに接触する保持用突起が形成されており、
前記メモリーカードカバーには、前記メモリーカードカバーが移動して閉位置に位置した時に前記保持用突起に嵌合する凹部が形成されていることを特徴とする請求項１〜４のいずれかの項に記載の電子機器。
【請求項６】
前記メモリーカードカバーには、前記メモリーカードカバーが移動して閉位置へと移動するときに、前記メモリーカード装着部に装着された前記メモリーカードの抜き差し方向後端面に摺接し、前記メモリーカードを前記メモリーカード装着部内へと付勢する突起状リブが形成されていることを特徴とする請求項１〜５のいずれかの項に記載の電子機器。
【請求項７】
前記電子機器は、
前記機器本体の側部端面から所定幅にて形成された環状領域とされるプロテクタ取付け部と、弾性体で作製された所定厚みを有し、前記プロテクタ取付け部に弾発的に適合して装着される所定幅の管状体とされるプロテクタと、を備えており、
前記サイドパネルは、前記プロテクタの前記プロテクタ取付け部とは反対側の外側に取り付けられることを特徴とする請求項１〜６のいずれかの項に記載の電子機器。
【請求項８】
（ａ）前記プロテクタは、
前記プロテクタ取付け部に装着される際に、前記プロテクタ取付け部の端面に対面する側である内側端縁の内周面に沿って形成された複数の第１の係止部と、
前記内側端縁とは反対側の外側端縁に隣接する内周面の第１の側の内周面と、前記第１の側とは反対方向の第２の側の内周面に沿って形成されたサイドパネル取付け部と、
前記プロテクタが前記プロテクタ取付け部に装着される際に、前記プロテクタ取付け部の端面に対面する側の前記サイドパネル取付け部の内側の側面に沿って形成された複数の第２の被係止部と、
前記第１の側の内周面の前記サイドパネル取付け部の外側の側面に形成された第３の係止部、及び、前記第２の側の内周面の前記サイドパネル取付け部に形成されたリブと、
を備え、
（ｂ）前記プロテクタ取付け部は、
前記プロテクタ取付け部の外側端面の内周面に全周或いは一部に沿って所定幅にて延在して形成されたフランジと、
前記プロテクタが装着されたとき、前記プロテクタの前記第１の係止部が係合する、前記プロテクタ取付け部の外周環状領域に形成された複数の第１の被係止部と、
前記フランジに形成され、前記プロテクタが装着されたとき、前記プロテクタの前記第２の被係止部に係止する第２の係止部と、
を備え、
（ｃ）前記サイドパネルは、
前記プロテクタに装着されたとき、前記プロテクタの前記第３の係止部に係止される第３の被係止部と、
前記プロテクタに装着されたとき、前記プロテクタ取付け部の内周面に形成した前記フランジの一部と、前記プロテクタの前記サイドパネル取付け部の前記第２の側の内周面に形成した前記リブとを挟持する凹状の第４の係止部と、
を有することを特徴とする請求項７に記載の電子機器。
【請求項９】
前記第１の係止部は、前記第１の被係止部に係合することにより、前記プロテクタが前記プロテクタ取付け部から外側へと外れるのを防止し、且つ、前記プロテクタの前記内側端縁が前記プロテクタ取付け部から離間して浮き上がるのを防止することを特徴とする請求項８に記載の電子機器。
【請求項１０】
前記第２の係止部は、前記第２の被係止部に係合することにより、前記プロテクタの前記外側端縁が前記プロテクタ取付け部から離間して浮き上がるのを防止することを特徴とする請求項８又は９に記載の電子機器。
【請求項１１】
前記第３の係止部は、突起と溝状穴にて形成され、前記第３の被係止部は、前記第３の係止部の前記突起と前記溝状穴に、それぞれ、係合する溝状穴と突起にて形成されることを特徴とする請求項８〜１０のいずれかの項に記載の電子機器。
【請求項１２】
前記プロテクタは、前記機器本体の略矩形状の外周囲に適合される略矩形状管状体とされることを特徴とする請求項７〜１１のいずれかの項に記載の電子機器。
【発明の詳細な説明】
【技術分野】
【０００１】
本発明は、一般には、例えばＳＤカードのようなカード形式のメモリー媒体（以下、「メモリーカード」、或いは、単に「カード」という。）のための装着部を備えた、電源ラインの電流値や電圧値などを測定し、その測定値により電源ラインの品質を解析して、その結果を表示部に表示する電気測定器（電源品質アナライザ）などの測定器、カード再生装置、その他の種々の電子機器（以下、単に「電子機器」という。）に関するものである。特に、本発明は、これら電子機器に設置されているメモリーカード装着部におけるカードカバーの構造に特徴を有するメモリーカードカバーを備えた電子機器に関するものである。
【背景技術】
【０００２】
従来、例えば、電気測定器（電源品質アナライザ）などの電子機器は、機器（測定器）本体にて測定した測定データ、解析結果などをメモリー媒体であるメモリーカードに出力して記憶させたり、或いは、メモリーカードに記憶させたデータを測定器本体に取り込むために、メモリーカード装着部が設けられている。
【０００３】
メモリーカード装着部に装着されたメモリーカードが外部から不用意に取り出されたり、或いは、測定器本体に振動、衝撃が加わった際にメモリーカードが飛び出したりして不測の事故が生じるのを防止するために、通常、メモリーカード装着部にはメモリーカードカバーが設けられている。一般には、メモリーカードカバーは、測定器本体とは別部品として作製され、測定器本体に回転可能に取り付けられて、開閉動作するように構成されている。
【０００４】
例えば、特許文献１には、測定器本体とは別部品として作製されたカバーが、測定器本体のサイドパネルに組み付けられた構成を開示している。特許文献１に記載する構成では、カバーは、カバー下部両端に有する軸により回転し、カバーが回転することにより開閉動作を行い、カバー上部中央に設けた引っ掛け部が測定器本体の凹部に嵌合することにより、或いは、バネ部材にてカバーを測定器本体側へと常時付勢することにより、カバーを閉位置に維持し、メモリーカードカバーが測定器本体内から飛び出すことを防止する構成とされている。
【０００５】
特許文献１に記載する構成は、形状がシンプルであり、カバーの開閉も単純である。また、カバーのサイドパネルへの取付けは、サイドパネル表面であるため、部品単体でも、完成状態でも取付け、取り外しが可能である。
【先行技術文献】
【特許文献】
【０００６】
【特許文献１】特開２００９−８７２８１号公報
【発明の概要】
【発明が解決しようとする課題】
【０００７】
しかしながら、上記従来のメモリーカードカバーの構造では、カバーの開閉動作が回転であり、挿入されているカードの抜ける方向と同一であり、例えば、カバー設置側を下にして測定器本体が落下した場合、落下による衝撃が加わった場合、カバーの開く方向も同一であるため、カバーはカードを保持することができない。
【０００８】
また、静的な状態にて、カバーがカードの抜け防止のためカード端面を常時押さえたくても、カバー自体の引っ掛かり方向となるため、引っ掛かり部の爪部の調整が困難であるといった問題を有している。
【０００９】
そこで、本発明の目的は、メモリーカードの抜ける方向に振動、衝撃が加わってもカバーが開くことのないメモリーカードカバー構造を有する電子機器を提供することである。
【００１０】
本発明の他の目的は、メモリーカードの挿入方向後端面をカバーが常時押すことができ、通常使用時の静的状態でのカード保持状態の安定性、信頼性が向上したメモリーカードカバー構造を備えた電子機器を提供することである。
【００１１】
本発明の他の目的は、別部品とされるサイドパネルに対し単品状態でカバーの組立を容易に行うことができ、サイドパネルを機器本体へと組立後においてはカバーの取り外しができないメモリーカードのカバーを備えた電子機器を提供することである。
【課題を解決するための手段】
【００１２】
上記目的は本発明に係る電子機器にて達成される。要約すれば、本発明は、メモリーカードを装着するメモリーカード装着部を備えた機器本体と、
前記機器本体に取り付けられ、前記メモリーカード装着部へのメモリーカードの抜き差しを行うためのメモリーカード装着開口を開閉するメモリーカードカバーを備えたサイドパネルと、
を有する電子機器であって、
前記メモリーカードカバーは、前記メモリーカード装着部に対する前記メモリーカードの抜き差し方向と直交する方向に移動して前記メモリーカード装着開口を開閉するように前記サイドパネルに摺動自在に保持されており、
前記メモリーカードカバーは、前記メモリーカードの抜き差し方向に対して直交するように配置された板状部材とされ、前記板状部材には操作手段が形成されており、
前記サイドパネルは、前記サイドパネルを前記機器本体に装着した際、前記メモリーカード装着開口と整列するようにメモリーカードスロットが形成された内壁部材と、前記内壁部材に対し前記機器本体とは反対側に所定の空隙をもって配置され、前記内壁部材と協働して前記板状部材とされる前記メモリーカードカバーの両側端部を保持して前記メモリーカードの抜き差し方向に直交する方向に案内するガイド溝を形成し、且つ、前記メモリーカードカバーの前記操作手段の操作を可能とするための開口部が形成された外壁部材と、を有し、
前記サイドパネルを前記機器本体に装着する前に、前記メモリーカードカバーを前記ガイド溝の一側に形成したメモリーカードカバー挿入開口端から前記ガイド溝へと前記メモリーカードカバーの両側部を嵌合させて装着する、
ことを特徴とする電子機器である。
【００１４】
本発明の一実施態様によると、前記機器本体は、前記メモリーカードカバーが組み込まれた前記サイドパネルを前記機器本体に装着した時、前記ガイド溝の前記メモリーカードカバー挿入開口端に位置して前記メモリーカードカバー挿入開口端を閉鎖して前記メモリーカードカバーが前記メモリーカードカバー挿入開口端から飛び出すのを規制する規制部材を有している。
【００１５】
本発明の他の実施態様によると、前記メモリーカードカバーの前記操作手段は、前記メモリーカードカバーから前記メモリーカードスロットとは反対方向へと突出した操作用突起であり、
前記外壁部材に形成した前記開口部は、前記操作用突起の、前記メモリーカードの抜き差し方向に対して直交する方向への移動を可能とする大きさとされ、
前記サイドパネルには、前記メモリーカードカバー挿入開口端の側に位置した前記内壁部材の端縁より前記メモリーカードスロットとは反対側領域に空間部を形成し、
前記サイドパネルを前記機器本体に装着する前に、前記メモリーカードカバーを、前記サイドパネルの前記機器本体に対面する側から前記空間部へと挿入して前記外壁部材の裏面に押し当て、前記メモリーカードカバーの前記操作用突起を前記外壁部材の前記開口部端縁と前記内壁部材端面との間に位置する前記開口部に挿入し、次いで、前記メモリーカードカバーを前記メモリーカードカバー挿入開口端から前記ガイド溝へと前記メモリーカードカバーの両側部を嵌合させて装着する。
【００１６】
本発明の他の実施態様によると、前記機器本体は、前記メモリーカードカバーが組み込まれた前記サイドパネルを前記機器本体に装着した時、前記内壁部材の前記空間部に位置し、前記内壁部材の前記端面に当接すると共に、前記ガイド溝の前記メモリーカードカバー挿入開口端に位置して前記メモリーカードカバー挿入開口端を閉鎖して前記メモリーカードカバーが前記メモリーカードカバー挿入開口端から飛び出すのを規制する規制部材を有している。
【００１７】
本発明の他の実施態様によると、前記内壁部材の前記メモリーカードカバーと対面する側面には、前記メモリーカードカバーに接触する保持用突起が形成されており、
前記メモリーカードカバーには、前記メモリーカードカバーが移動して閉位置に位置した時に前記保持用突起に嵌合する凹部が形成されている。
【００１８】
本発明の他の実施態様によると、前記メモリーカードカバーには、前記メモリーカードカバーが移動して閉位置へと移動するときに、前記メモリーカード装着部に装着された前記メモリーカードの抜き差し方向後端面に摺接し、前記メモリーカードを前記メモリーカード装着部内へと付勢する突起状リブが形成されている。
【００１９】
本発明の他の実施態様によると、前記電子機器は、前記機器本体の側部端面から所定幅にて形成された環状領域とされるプロテクタ取付け部と、弾性体で作製された所定厚みを有し、前記プロテクタ取付け部に弾発的に適合して装着される所定幅の管状体とされるプロテクタと、を備えており、
前記サイドパネルは、前記プロテクタの前記プロテクタ取付け部とは反対側の外側に取り付けられる。
【００２０】
本発明の他の実施態様によると、
（ａ）前記プロテクタは、
前記プロテクタ取付け部に装着される際に、前記プロテクタ取付け部の端面に対面する側である内側端縁の内周面に沿って形成された複数の第１の係止部と、
前記内側端縁とは反対側の外側端縁に隣接する内周面の第１の側の内周面と、前記第１の側とは反対方向の第２の側の内周面に沿って形成されたサイドパネル取付け部と、
前記プロテクタが前記プロテクタ取付け部に装着される際に、前記プロテクタ取付け部の端面に対面する側の前記サイドパネル取付け部の内側の側面に沿って形成された複数の第２の被係止部と、
前記第１の側の内周面の前記サイドパネル取付け部の外側の側面に形成された第３の係止部、及び、前記第２の側の内周面の前記サイドパネル取付け部に形成されたリブと、
を備え、
（ｂ）前記プロテクタ取付け部は、
前記プロテクタ取付け部の外側端面の内周面に全周或いは一部に沿って所定幅にて延在して形成されたフランジと、
前記プロテクタが装着されたとき、前記プロテクタの前記第１の係止部が係合する、前記プロテクタ取付け部の外周環状領域に形成された複数の第１の被係止部と、
前記フランジに形成され、前記プロテクタが装着されたとき、前記プロテクタの前記第２の被係止部に係止する第２の係止部と、
を備え、
（ｃ）前記サイドパネルは、
前記プロテクタに装着されたとき、前記プロテクタの前記第３の係止部に係止される第３の被係止部と、
前記プロテクタに装着されたとき、前記プロテクタ取付け部の内周面に形成した前記フランジの一部と、前記プロテクタの前記サイドパネル取付け部の前記第２の側の内周面に形成した前記リブとを挟持する凹状の第４の係止部と、
を有する。
【００２１】
本発明の他の実施態様によると、前記第１の係止部は、前記第１の被係止部に係合することにより、前記プロテクタが前記プロテクタ取付け部から外側へと外れるのを防止し、且つ、前記プロテクタの前記内側端縁が前記プロテクタ取付け部から離間して浮き上がるのを防止する。
【００２２】
本発明の他の実施態様によると、前記第２の係止部は、前記第２の被係止部に係合することにより、前記プロテクタの前記外側端縁が前記プロテクタ取付け部から離間して浮き上がるのを防止する。
【００２３】
本発明の他の実施態様によると、前記第３の係止部は、突起と溝状穴にて形成され、前記第３の被係止部は、前記第３の係止部の前記突起と前記溝状穴に、それぞれ、係合する溝状穴と突起にて形成される。
【００２４】
前記プロテクタは、前記機器本体の略矩形状の外周囲に適合される略矩形状管状体とされる。
【発明の効果】
【００２５】
本発明によれば、メモリーカードの抜ける方向に振動、衝撃が加わってもカバーが開くことがない。また、メモリーカードの挿入方向後端面をカバーが常時押すことができ、通常使用時の静的状態でのカード保持状態の安定性、信頼性を向上させることができる。更には、別部品とされるサイドパネルに対し単品状態でカバーの組立を容易に行うことができ、サイドパネルを機器本体へと組立後においてはカバーの取り外しができないという利点をも有している。
【図面の簡単な説明】
【００２６】
【図１】本発明に係る電子機器の一実施例である測定器の一例の全体構成を示す図であり、図１（ａ）は測定器の斜視図であり、図１（ｂ）は右側面図であり、図１（ｃ）は左側面図である。
【図２】本発明に係る電子機器の一実施例である測定器の一例の全体構成を示す図であり、図２（ａ）は測定器を奥側から見た斜視図であり、図２（ｂ）は背面図である。
【図３】測定器の図１の線III―IIIに取った断面図である。
【図４】測定器の図１の線IV―IVに取った断面図である。
【図５】測定器の一実施例のプロテクタ取付け部の構造を示す断面図である。
【図６】測定器本体の側部に形成したプロテクタ取付け部の一実施例を説明する斜視図である。
【図７】図７（ａ）は、測定器のプロテクタの一実施例を示す内側方向より見た斜視図であり、図７（ｂ）は、測定器のプロテクタの一実施例を示す外側方向より見た斜視図である。
【図８】測定器本体の側部に形成したプロテクタ取付け部の一実施例を説明する断面図であり、プロテクタ取付け部にプロテクタを取り付けた状態を説明する。
【図９】サイドパネルの一実施例を示す内側方向より見た斜視図である。
【図１０】図９の線X−Xに取ったサイドパネルの断面図である。
【図１１】サイドパネルの取り付け方法を説明する図である。
【図１２】図９の線XII−XIIに取ったサイドパネルの断面図である。
【図１３】メモリーカードカバーが組み込まれたサイドパネルの斜視図で、図１３（ａ）はメモリーカードカバーが下方の開位置に位置した状態を示し、図１３（ｂ）はメモリーカードカバーが上方の閉位置に位置した状態を示す。
【図１４】サイドパネルの一実施例を示す内側方向より見た斜視図である。
【図１５】図１５（ａ）は、メモリーカードカバーを組み込むためのサイドパネルの構造の一実施例を示す内側方向より見た斜視図であり、図１５（ｂ）は、サイドパネルの断面図である。
【図１６】メモリーカードカバーのサイドパネルへの組立方法を説明するための斜視図である。
【図１７】メモリーカードカバーのサイドパネルへの組立方法を説明するための図であり、図１７（ａ）は内側方向より見た斜視図であり、図１７（ｂ）は断面図である。
【図１８】サイドパネルの取り付け方法を説明する図である。
【図１９】他の実施例のメモリーカードカバーのサイドパネルへの組立方法を説明するための斜視図である。
【図２０】図１９のメモリーカードカバーのサイドパネルへの組立方法を説明するための断面図である。
【発明を実施するための形態】
【００２７】
以下、本発明に係るメモリーカードカバーを備えた電子機器を図面に則して更に詳しく説明する。
【００２８】
実施例１
（測定器の全体構成）
図１〜図６を参照して、本発明に係る電子機器の一実施例について説明する。
【００２９】
図１（ａ）に、本発明に係る電子機器の一実施例である電気測定器（電源品質アナライザ）の全体構成を示す。図１（ａ）を参照すると、本実施例にて、測定器１は、全体形状が横方向寸法（Ｌ）が幅方向寸法（Ｗ）より長くされた横長の、且つ、高さ（厚み）（Ｈ）が低く（薄く）された矩形状箱体とされる機器本体（本実施例では「測定器本体」という。）２と、測定器本体２の横方向両側部に着脱可能に装着されたプロテクタ３（３Ａ、３Ｂ）とを備えている。
【００３０】
プロテクタ３は、弾性体とされ、厚さ（ｔ３）（図４参照）とされる弾性材料にて作製される。また、プロテクタ３の下面には、手前側及び奥側に位置してゴム足７が、プロテクタ３と同じ材料にて一体に形成されている。
【００３１】
以下の説明では、図１（ａ）に示すように、測定器１を水平状態に置いた状態にて、上方より見た面を正面（又は上面）、図１（ａ）にて、正面の右側を右側面、左側を左側面、正面の上方側の側面を奥側面、正面の下方側の側面を手前側面、そして、正面の裏側の面を背面（又は下面）というものとする。また、上述のように、測定器１の左右方向を横方向（又は長手方向）、横方向に直交する方向を幅方向（又は短手方向）といい、また、水平方向に直交する方向を上下方向というものとする。
【００３２】
更に説明すれば、測定器本体２は、図３、図４、図６に示すように、樹脂（例えば、ＡＢＳ、ＰＰＥなど）を成形加工して形成された、短手方向に取った断面で、下方が開口した概略逆Ｕ字形状とされる上ケース２Ａと、上方が開口した概略Ｕ字形状とされる下ケース２Ｂとを、開口部が対向するように上下方向に配置して、上ケース２Ａと下ケース２Ｂとを上下に組み合わせ、適当なネジ等の締結手段（図示せず）にて一体的に接続することによって構成されている。
【００３３】
測定器本体２の手前側の側面（図３にて左側の側面）は、上ケース２Ａと下ケース２Ｂとを上下に組み合わせることによって形成されている。また、測定器本体２の奥側の側面（図３にて右側の側面）は、図２（ａ）、図３に示すように、組み合わせられた上ケース２Ａと下ケース２Ｂに一体に接続された奥側連結部材５により形成される。一方、測定器本体２の両側の面（図４にて左右の側面）は、組み合わせられた上ケース２Ａと下ケース２Ｂの横方向両端部に側板４（４Ａ、４Ｂ）を一体に組み立てることにより形成される。側板４（４Ａ、４Ｂ）は、アルミニウム、鋼板などの金属板部材を成形加工して形成される。
【００３４】
測定器本体２の内部には、図３、図４に示すように、電気機器要素１００が内蔵されている。測定器本体２の手前下方部には、図２（ｂ）、図３に示すように、電池を収納するための電池収納部１０１が形成され、下ケース２Ｂに形成された電池収納部１０１の外側開口部は、この開口部を覆って電池収納カバー６が配置されている。電池収納カバー６は、下ケース２Ｂにねじ６ａにて取り外し自在に取り付けられている。
【００３５】
測定器本体２は、本体正面には、図１に示すように、成形加工された上ケース２Ａの凹所２Ａ１に、液晶パネルとされる表示部１０と、表示部１０の右側に各種ボタン群１１及びＬＥＤ表示部１２が設けられている。本体奥側の側面を形成する連結部材５には、図２（ａ）に示すように、電圧測定用プローブを接続するための電圧入力端子１３（１３ａ〜１３ｄ）が４系統設けられており、電流測定用クランプセンサを接続するための電流入力端子１４（１４ａ〜１４ｄ）が４系統設けられている。本体左側面には、図１（ｃ）に示すように、電源のＯＮ／ＯＦＦスイッチ１５、外部電源アダプタの入力端子１６、外部電源アダプタのコードを止めるフック（２箇所）１７（１７ａ、１７ｂ）、肩掛けストラップを固定するシャフト１８が設けられている。
【００３６】
測定器本体２の右側面には、図１（ｂ）に示すように、メモリーカード、本実施例ではＳＤカードのためのスロット２０（及びメモリーカードカバー９０）、測定器本体２とコンピュータを接続するためのＵＳＢ端子等の端子類２１、肩掛けストラップを固定するシャフト２５が設けられている。
【００３７】
測定器本体２の横方向の左右両側面部には、図１（ａ）、（ｂ）、（ｃ）、図４を参照すると理解されるように、プロテクタ３（３Ａ、３Ｂ）が装着されると共に、測定器本体２の左右両側面部に露出した端子類を保護するためと、また、美観上の観点から、サイドパネル３０（３０Ａ、３０Ｂ）が取り付けられる。サイドパネル３０（３０Ａ、３０Ｂ）は、測定器本体２の両側部に取り付けられたプロテクタ３（３Ａ、３Ｂ）に取り付けられると共に、また、測定器本体２のプロテクタ取付け部５０（図６参照）を構成する下ケース２Ｂの横方向先端部５４にも係合して、プロテクタ３を測定器本体２にしっかりと固定する機能をも有している。この点については、後で詳述する。
【００３８】
（測定器本体側面構造）
図６を参照して、測定器本体２の側面構造について説明する。
【００３９】
図１（ａ）、（ｂ）、（ｃ）などに示すように、本実施例にて、測定器本体２の左右の両側部に取り付けられるプロテクタ３Ａ、３Ｂは同じ構造とされるが、サイドパネル３０Ａ、３０Ｂはそれぞれ異なる構成とされる。しかし、測定器本体２の側部に、プロテクタ３Ａ、３Ｂ及びサイドパネル３０Ａ、３０Ｂを取り付けるためのプロテクタ取付け構造は、実質的に同じ構造とされるために、以下の説明では、右側のプロテクタ３Ａ及びサイドパネル３０Ａの取付け構造について説明する。
【００４０】
図６は、プロテクタ３Ａ及びサイドパネル３０Ａを測定器本体２より取り外した時の状態を示す。
【００４１】
測定器本体２の側部端面から所定幅（Ｌ５０）にて形成された環状領域がプロテクタ取付け部５０とされる。即ち、本実施例にて、測定器本体２の横方向の側部は、その端部より横方向内方へと距離（Ｌ５０）の部分がプロテクタ取付け部５０を構成する。図６に示すように、本実施例にて、このプロテクタ取付け部５０は、上ケース２Ａ及び下ケース２Ｂにて形成され、幅方向の断面形状は、上ケース２Ａが下方が開口した逆Ｕ字形状とされ、下ケース２Ｂは、上方が開口したＵ字形状とされ、開口部が対向するように配置して、一体的に接続される。なお、本実施例では、プロテクタ取付け部５０は、測定器本体２のボタン群１１（表示部１０）等との間に段差部Ｅが形成されている。この段差部Ｅは、図４、図５に示すように、上ケース２Ａ、下ケース２Ｂのプロテクタ取付け部５０と、ボタン群１１（表示部１０）等との境界領域に位置して、測定器本体２の外周囲にわたって環状に凸状リブ２１を成形することにより形成されている。
【００４２】
プロテクタ取付け部５０には、本実施例では、凸状リブ２１に隣接して且つ凸状リブ２１に沿って矩形状の溝状穴（穴溝）（第１の被係止部）５１（５１ａ、５１ｂ、５１ｃ）が形成されている。図６は、上ケース２Ａの上面に穴溝５１ａが形成されている態様を示しているが、下ケース２Ｂにも同様に穴溝５１ｂ（図５参照）が形成されている。穴溝５１は、プロテクタ取付け部５０の上面側（上ケース２Ａ）及び下面側（下ケース２Ｂ）に、それぞれ、５個づつ互いに離間して形成されている。更に、穴溝５１ｃが、プロテクタ取付け部５０の、測定器本体短手方向の両側面側に１個づつ形成される。図６には、手前側の側面部の穴溝５１ｃが図示されているが、図示されていない奥側の側面にも対称配置にて穴溝５１ｃ（図５参照）が形成されている。
【００４３】
又、図６を参照すると、プロテクタ取付け部５０には、概略矩形状とされる横方向外側端縁部に、外側へと突出して突片５３、５５が形成されている。本実施例では、突片５３は、プロテクタ取付け部５０の上面側（上ケース２Ａ）に３個形成され、プロテクタ取付け部５０の下面側（下ケース２Ｂ）に４個、互いに離間して形成されている。
【００４４】
更に説明すると、図５、図６を参照すると、プロテクタ取付け部５０の矩形状外側端縁部において、上ケース２Ａは、その端面上縁部の内周面に沿って下方へと垂直に折り曲げ加工された幅（ｗ５２）のフランジ５２を備えている。またこのフランジ５２には、本実施例ではフランジ５２の外側面に沿って外側へと水平方向に突出した上記突片５３が所定の間隔にて本実施例では３個形成されている。また、下ケース２Ｂは、その端面下縁（及び両側縁部）内周面に沿って上方へと垂直に折り曲げ加工された幅（ｗ５４）のフランジ５４を備えている。またこのフランジ５４には、本実施例ではフランジ５４の外側の面に沿って外側へと水平方向に突出した上記突片５５が所定の間隔にて本実施例では４個形成されている。
【００４５】
（プロテクタ）
図７、図８を参照してプロテクタ３について説明する。本発明によれば、プロテクタ３（３Ａ、３Ｂ）は、耐衝撃性を持たせるために弾性材料、例えば、エラストマー（ＴＰＥ：熱可塑性エラストマー）を使用して作製される。また、意匠性を向上させるために、例えば青色などの適当な色つきの材料が好適に使用される。
【００４６】
プロテクタ３は、測定器本体２の上記プロテクタ取付け部５０に弾発的に適合装着され、測定器本体２の横方向側面部を覆う形状とされる。即ち、プロテクタ３は、その外周形状は、測定器本体２の側面外周形状より幾分（プロテクタ３の厚さｔ３程度（図４参照））大きな形状とされる略矩形状断面を有した所定幅（Ｌ３）の筒状体（管状体）とされる。プロテクタ３の内周形状は、プロテクタ取付け部５０の外周形状と同じか、幾分小さな、略相似形状とされ、プロテクタ取付け部５０の外周部に弾発的に嵌合される形状とされる。本実施例にてプロテクタ３Ａ、３Ｂは同じ形状とされ、左右共通部品とされる。勿論、これに限定されるものではなく、プロテクタ３Ａ、３Ｂは、本発明に従った原理を採用して、測定器本体２に対する取付け構造及びサイドパネルに対する取付け構造を同じとし、外形状などは異なるものとすることもできる。
【００４７】
上述したように、本実施例では、プロテクタ３Ａ、３Ｂは同じ形状とされるので、測定器本体２の横方向右側の側部に装着される右側のプロテクタ３Ａについて説明する。
【００４８】
本実施例では、図７、図８に示すプロテクタ３Ａにて、上記プロテクタ取付け部５０に装着される際に、プロテクタ取付け部５０の端面に対面する端縁側である挿入側、即ち、図８にて左側を内側と言い、図８にて挿入側と反対側の右側を外側と呼ぶこととする。また、筒状体とされるプロテクタ３Ａの中心軸線Ｏｘ−Ｏｘ側をプロテクタ３Ａの内部と呼ぶこととする。
【００４９】
図７、図８を参照すると、断面略矩形状の筒状体とされるプロテクタ３Ａは、上記プロテクタ取付け部５０に挿入される挿入側、即ち、内側端縁３Ａ１の上側内周部３Ａ１ａ及び下側内周部３Ａ１ｂに、それぞれ、内周面に対して垂直方向に突出して突片３１、３２が５個づつ形成されており、また、両側の内周部３Ａ１ｃ、３Ａ１ｄには、それぞれ、突片３３が１個づつ形成されている。突片３１、３２、３３は、上記プロテクタ取付け部５０の穴溝５１（５１ａ、５１ｂ、５１ｃ）（図６参照）に係合する寸法形状とされる。つまり、突片３１、３２、３３は、第１の被係止部であるプロテクタ取付け部５０の穴溝５１（５１ａ、５１ｂ、５１ｃ）に係合される第１の係止部を構成する。なお、突片３１、３２、３３は、図８に示すように、先端部３１ａ、３２ａ、３３ａがプロテクタ３Ａの内側端縁３１Ａ１に対して内側方向へと僅かにｔａだけ突出した突起を有している。
【００５０】
上記プロテクタ内周部の突片（第１の係止部）３１、３２、３３は、プロテクタ３Ａを測定器本体２に取り付けたとき、プロテクタ取付け部５０の外周に設けた穴溝（第１の被係止部）５１（５１ａ、５１ｂ、５１ｃ）にそれぞれ係合し、プロテクタ３Ａが、図５、図８にて右側方向へと外方に外れるのを防止する。と同時に、突片３１、３２、３３の先端突起部３１ａ、３２ａ、３３ａが穴溝５１（５１ａ、５１ｂ、５１ｃ）を形成した上、下ケース２Ａ、２Ｂの内周面（即ち、穴溝５１の内面）に係合し、プロテクタ端面３Ａ１が測定器本体２から離間して上下方向及び幅（前後）方向へと浮き上がるのを防止する。
【００５１】
更に、プロテクタ３Ａには、サイドパネル取付け部６０、７０が設けられている。即ち、図７（ａ）、（ｂ）、図８を参照すると理解されるように、プロテクタ取付け部５０に挿入される挿入側（内側）端縁３Ａ１とは反対側の外側端縁３Ａ２に隣接する内周面には、プロテクタ３Ａの内周領域の第１の側である略上半周部分（即ち、上側内周部３Ａ２ａの全周及び両側の内周部３Ａ２ｃ、３Ａ２ｄの上半周）にサイドパネル取付け部としての溝形成部６０が成形され、第１の側とは反対方向の第２の側である残りの略下半周部分（即ち、下側内周部３Ａ２ｂの全周及び両側の内周部３Ａ２ｃ、３Ａ２ｄの下半周）にサイドパネル取付け部としてのリブ形成部７０が成形されている。
【００５２】
更に説明すると、溝形成部６０は、プロテクタ３Ａの外側端縁３Ａ２から内側へと距離（Ｌ６０）の幅で、且つ、プロテクタ３Ａの外周面から厚さ（ｔ６０）にて、プロテクタ３Ａの上半周部分に形成される。溝形成部６０の内側の側面３５は、プロテクタ３Ａをプロテクタ取付け部５０に装着した際に、プロテクタ取付け部５０のフランジ５２の外側端面５２ａに当接するように構成される。また、溝形成部６０の内周面６１の位置（即ち、プロテクタ３Ａの外周面から厚さ（ｔ６０）とされる位置）は、プロテクタ取付け部５０のフランジ５２の内周端面位置５２ｂと同じとされる。溝形成部６０には、プロテクタ３Ａの外周面から距離ｔ６２の位置と内周面６１との間に所定の形状寸法とされる溝６２と突起６３が形成される。突起６３の外端面６３ａは、プロテクタ外側端面３Ａ２から距離Ｌ６３の位置とされる。溝６２と突起６３とは、後述するサイドパネル３０Ａの第３の被係止部８４、８５（図１０参照）に係合する第３の係止部を構成する。
【００５３】
一方、プロテクタ３Ａの下半周部分のリブ形成部７０は、プロテクタ３Ａの外側端縁３Ａ２から内側へと距離（Ｌ７１）の位置において、プロテクタ３Ａの外周面からの厚さ（ｔ７１）にて内周面７１が形成され、更に、プロテクタ３Ａの外側端縁３Ａ２から内側へと距離（Ｌ７０）の位置から外側へとリブ幅（Ｌ７２）とされるリブ７２が、プロテクタ３Ａの下半周部分に内部へと垂直に突出して形成される。リブ７２の内側面３６は、プロテクタ３Ａをプロテクタ取付け部５０に装着した際に、プロテクタ取付け部５０のフランジ５４の外側端面５４ａに当接するように構成される。また、リブ７２の内周面７３の位置（即ち、プロテクタ３Ａの外周面から厚さ（ｔ７２）とされる位置）は、プロテクタ取付け部５０のフランジ５４の内周端面５４ｂの位置と同じとされる。
【００５４】
上記溝形成部６０の溝６２、突起６３、及び、リブ形成部７０のリブ７２を利用してサイドパネル３０Ａが取り付けられる（図１１（ａ）、（ｂ）、（ｃ）参照）。この構成については、以下に説明するサイドパネル３０に関連して更に説明する。
【００５５】
上記プロテクタ３Ａの構成により、プロテクタ３Ａをプロテクタ取付け部５０に挿入して取り付けたとき、プロテクタ３Ａの、溝形成部６０及びリブ形成部７０の内側面３５、３６がプロテクタ取付け部５０のフランジ５２、５４の外側端面５２ａ、５４ａに突き当たり、プロテクタ３Ａのそれ以上の測定器本体側への挿入を不可とする。
【００５６】
又、溝形成部６０及びリブ形成部７０の内側面３５、３６には、穴溝（第２被係止部）３７、３８が形成されており、プロテクタ３Ａをプロテクタ取付け部５０に挿入して取り付けたとき、プロテクタ取付け部５０の外側端部突起（第２の係止部）５３、５５が係合するようにされる。
【００５７】
これら外側端部突起（第２の係止部）５３、５５は、プロテクタ３Ａを測定器本体２に取り付けたとき、プロテクタ３Ａの穴溝（第２の被係止部）３７、３８にそれぞれ係合し、プロテクタ外側端面３Ａ２が測定器本体２から上下方向及び幅（前後）方向に離間して浮き上がるのを防止する。
【００５８】
上記構成は、上述したように、他方のプロテクタ３Ｂ及びサイドパネル３０Ｂについても同様とされる。
【００５９】
（サイドパネル）
次に、図９〜図１１を参照して、サイドパネル３０（３０Ａ、３０Ｂ）について説明する。上述したように、サイドパネル３０（３０Ａ、３０Ｂ）は、測定器本体２の左右両側面部に露出した側板４（４Ａ、４Ｂ）の端子類を保護するためと、また、美観上の観点から、設けられる。また、詳しくは後述するように、一方のサイドパネル３０Ａには、測定器本体２に抜き差しされるメモリーカード２００のためのメモリーカードカバー９０が設置されている。
【００６０】
サイドパネル３０Ａ、３０Ｂは異なる形状とされるが、プロテクタ３への取付け構造は同じ構造とされるので、本実施例では、図９〜図１１を参照して、測定器１の右側のプロテクタ３Ａに取り付けられる右側のサイドパネル３０Ａについて説明する。
【００６１】
図９は、測定器本体２の右側に取り付けられるサイドパネル３０Ａの測定器本体２の側板４Ａに対面した側から見た斜視図であり、図１０は、図９の線Ｘ−Ｘに取った断面図を示す。図１１は、サイドパネル３０Ａのプロテクタ３Ａに対する取付け態様を説明する図である。
【００６２】
本実施例では、図１０に示すサイドパネル３０Ａにて、上記プロテクタ３Ａに装着される場合の挿入側とされる、図１０にて左側を内側と言い、図１０にて挿入側と反対側の右側を外側と呼ぶこととする。
【００６３】
サイドパネル３０Ａは、測定器本体２の側部を覆うために、測定器本体２と概略同じ矩形状とされる側板８１と、この側板８１を測定器本体２（即ち、プロテクタ３Ａ）の側部に取り付けるために、側板８１の周辺に形成されたサイドパネル上取付け部８２及び下取付け部８３と、を有している。サイドパネル側板８１は、測定器本体２の側板４Ａに設けられた接続端子、装置類にアクセスするために種々の形状とされる開口部１０２が形成されている。サイドパネル３０Ａは、硬質の樹脂にて作製され、例えば、ＡＢＳ、ＰＰＥ等を好適に使用し得る。
【００６４】
サイドパネル上取付け部８２は、図９、図１０に示すように、本実施例では、側板８１の上端縁８１ａから両側縁８１ｃ、８１ｄの上部にかけて略上半周部に形成されている。勿論、必要に応じて、サイドパネル上取付け部８２は、上端縁８１ａのみに、或いは、上端縁８１ａと両側縁８１ｃ、８１ｄの全体に設けてもよい。また、サイドパネル上取付け部８２は、図１０に示すように、測定器本体２の横方向に直交する断面が、内側へと開口したコ字状の形状とされ、内側へと突出したリブ状の突起８４と、内側が開口した凹状の溝８５とを有している。リブ状の突起８４と凹状溝８５は、プロテクタ３Ａの第３の係止部６２、６３に係合する第３の被係止部を構成する。
【００６５】
図９に示すリブ状突起８４は、上記プロテクタ３Ａの溝６２に係合するに適した形状寸法とされ、凹状溝８５は、プロテクタ３Ａの突起６３が嵌入するに適した形状寸法とされる。なお、本実施例では、図９に示すように、リブ状突起８４は、不連続であっても良く、また、連続して形成しても良い。必要に応じて適宜設計される。
【００６６】
一方、サイドパネル下取付け部８３は、図９、図１０に示すように、側板８１の下端縁８１ｂに沿って形成された下方に突出する略平行なリブ状突起８６、８７にて開口したＵ字形状とされる凹状溝部（第４の係止部）８８を備えている。
【００６７】
上記構成のサイドパネル３０Ａは、図１１（ａ）に示すように、先ず、サイドパネル３０Ａのサイドパネル下取付け部８３をプロテクタ３Ａ内に位置させ、サイドパネル上取付け部８２がプロテクタ３Ａから離間した傾斜状態に維持する。次いで、矢印Ａで示すようにサイドパネル３０Ａを斜め下方に押下げ、サイドパネル下取付け部８３の凹状溝部８８（即ち、突片８６、８７）が、図１１（ｂ）に示すように、測定器本体２の外側端縁フランジ５４とプロテクタ３Ａのリブ７２とを挟み込むようにして装着される。次いで、矢印Ｂで示すように、サイドパネル３０Ａを、サイドパネル下取付け部８３を支点として、サイドパネル３０Ａの上端をプロテクタ３Ａの方へと押圧する。これにより、図１１（ｃ）に示すように、サイドパネル３０Ａのリブ状突起８４がプロテクタ３Ａの溝６２に係合し、サイドパネル３０Ａの凹状溝８５には、プロテクタ３Ａの突起６３が嵌入する。同時に、サイドパネル３０Ａの凹状溝部８８は、測定器本体２の外側端縁フランジ５４とサイドパネル３０Ａのリブ７２とをしっかりと挟持した状態で保持する。
【００６８】
これによって、サイドパネルはプロテクタ３Ａにしっかりと取り付けられる。
【００６９】
上述のように、サイドパネル３０Ａの下取付け部８３は、プロテクタ３Ａだけでなく、測定器本体２のプロテクタ取付け部５０の下側部に取り付けられることにより、プロテクタ自体を測定器本体２に固定する機能をも有している。
【００７０】
このような構成により、プロテクタ３Ａ、サイドパネル３０Ａが測定器本体２にしっかりと取り付けられる。また、プロテクタ３Ａ、サイドパネル３０Ａは、必要に応じて、取り外すこともできる。
【００７１】
尚、サイドパネル３０Ａは、必要に応じて、図６に示す測定器本体２の側板４Ａに取り付けた状態で示す取付けネジ４０を用いて、サイドパネル３０Ａに穿設した貫通穴４０ａ（図９）を利用して、図１（ｂ）、（ｃ）に示すように側板４Ａに固定することもできる。
【００７２】
（プロテクタの組立）
上記構成のプロテクタ３の測定器本体２への取付け態様については、上記説明にて理解されると考えるが、以下に纏めて説明する。
【００７３】
先ず、図６〜図８に示すように、測定器本体２の横方向側面部外周面を覆うように、プロテクタ３Ａを挿入側端縁３Ａ１からプロテクタ取付け部５０に弾発的に適合して装着する。プロテクタ３Ａは、プロテクタ３Ａの、溝形成部６０及びリブ形成部７０の内側面３５、３６がプロテクタ取付け部５０のフランジ５２、５４の外側端面５２ａ、５４ａに突き当たり、プロテクタ３Ａのそれ以上の測定器本体側への挿入を不可とする。
【００７４】
このとき、溝形成部６０及びリブ形成部７０の内側面３５、３６に形成した穴溝（第２の被係止部）３７、３８に、プロテクタ取付け部５０の外側端部突片（第２の係止部）５３、５５が係合する。即ち、これら外側端部突片（第２の係止部）５３、５５は、プロテクタ３Ａを測定器本体２に取り付けたとき、プロテクタ３Ａの穴溝（第２の被係止部）３７、３８にそれぞれ係合し、プロテクタ外側端面３Ａ２が測定器本体２から上下方向及び幅（前後）方向に離間して浮き上がるのを防止する。
【００７５】
更に、プロテクタ３Ａの挿入側内周部に形成した突片（第１係止部）３１、３２、３３を、プロテクタ取付け部５０の外周に設けた穴溝（第１被係止部）５１（５１ａ、５１ｂ、５１ｃ）にそれぞれ係合させる。これにより、プロテクタ３Ａが、図５、図８にて右側方向へと外方に外れるのを防止する。と同時に、突起３１、３２、３３の先端突出部３１ａ、３２ａ、３３ａが穴溝５１（５１ａ、５１ｂ、５１ｃ）の内側面に係合し、プロテクタ端面３Ａ１が測定器本体２から離間して上下方向及び幅（前後）方向へと浮き上がるのを防止する。
【００７６】
従って、プロテクタ３Ａが容易に測定器本体２から外方へと抜け出たり、或いは、プロテクタ３Ａの端面領域が測定器本体２から浮き上がることはない。
【００７７】
プロテクタ３Ｂも、上記プロテクタ３Ａと同様にして、測定器本体２に弾発的に適合して装着される。
【００７８】
次いで、プロテクタ３Ａ、３Ｂにサイドパネル３０Ａ、３０Ｂが取り付けられる。サイドパネル３０Ａ、３０Ｂの取り付け方法は、上述の図１１を参照して行なったサイドパネルの組み立て方法の説明にて充分に理解されるであろう。
【００７９】
上記構成とされる本発明によれば、軟質の耐衝撃性部材とされるプロテクタは、ネジ等を用いることなく、測定器本体に対して単に係止部材を係合させることにより組み立てることができ、組み立てが容易である。また、係止部材の形状及び配置構成により、測定器に対して長手方向横方向、上下方向、及び、前後方向に対してプロテクタが容易に外れたり、浮き上がったりするのを防止する。更には、他の別部品とされる硬質の部材（サイドパネル）にて測定器本体に組み付けられるので、組立後においてはプロテクタ部材が測定本体から不用意に外れることがない。
【００８０】
また、本発明によれば、プロテクタ部材は２色成形により成形加工される必要がなく、廃棄リサイクルにも適しており、製造コストを低減することができる。
【００８１】
上記実施例では、測定器本体は、全体形状が横方向寸法（Ｌ）が幅方向寸法（Ｗ）より長くされた横長の、且つ、高さ（厚み）（Ｈ）が低くされた矩形状箱体とされ、プロテクタは、測定器本体の横方向両側部に装着されるものとして説明したが、これに限定されるものではなく、必要に応じて、測定器本体の両側部のいずれかの側部に装着してもよい。また、測定器本体は必ずしも横方向に長いものである必要はなく、縦長形状或いは他の形状のものでも良いことは勿論である。
【００８２】
また、上記実施例では、第１、第２の係止部は突片とし、第１、第２の被係止部は溝状穴として説明したが、第１、第２の係止部が溝であり、第１、第２の被係止部が突片であっても良い。
【００８３】
（メモリーカードカバーの構造及び組立）
次に、図１２〜図１８を参照して、本発明の特徴部を構成するメモリーカードカバー９０の構造及び組立について説明する。
【００８４】
先ず、図１２〜図１３を参照して、本実施例にてサイドパネル３０Ａに設置されるメモリーカードカバー９０及び関連する部材の全体構造について説明する。本実施例では、測定器１の機器本体、即ち、測定器本体２には、測定器本体２の右側部に隣接してメモリーカード装着部３００が設けられており、側板４Ａにはメモリーカード２００をメモリーカード装着部３００に装着するためのメモリーカード装着開口３０１が形成されている。
【００８５】
一方、本実施例では、図１（ａ）、（ｂ）、及び、図１２〜図１４を参照すると理解されるように、測定器１の右側面に着脱自在に取り付けられるサイドパネル３０Ａにメモリーカードスロット２０が形成されており、また、このメモリーカードスロット２０を開閉するためにメモリーカードカバー９０がサイドパネル３０Ａに移動自在に設けられている。
【００８６】
サイドパネル３０Ａに形成したメモリーカードスロット２０は、メモリーカード２００の抜き差し方向に、側板４Ａに形成されたメモリーカード装着開口３０１と整列して形成されている。
【００８７】
本実施例では、メモリーカード２００は、水平方向（図１２にて矢印Ｃ方向）に移動して、メモリーカード装着部３００に装着可能、即ち、抜き差し可能とされる。一方、メモリーカードカバー９０は、メモリーカード装着部３００に対するメモリーカード装着開口３０１へのメモリーカード２００の抜き差し方向（Ｃ方向）と直交する上下方向（図１２にて矢印Ｄ方向）に移動してメモリーカード装着開口３０１を開閉する。
【００８８】
勿論、メモリーカード２００は、水平方向に対し所定の角度傾斜して抜き差しされる構成とすることも可能である。この場合にも、メモリーカードカバー９０は、メモリーカード２００の抜き差し方向に対して直交する方向に移動する構成とされる。
【００８９】
図１３（ａ）は、本実施例にて、メモリーカードカバー９０が垂直方向下方に移動した状態（即ち、開口解放位置）を示しており、メモリーカードスロット２０にメモリーカード２００が装着されている態様を示している。図１３（ｂ）は、メモリーカードカバー９０が上方に移動した状態（開口閉鎖位置）を示しており、メモリーカード装着部３００に装着されたメモリーカード２００をメモリーカード装着部内へと所定の力にて押圧している状態を示している。
【００９０】
次に、メモリーカードカバー９０、及び、メモリーカードカバー９０を取り付けるためのサイドパネル３０Ａの構造について説明する。
【００９１】
メモリーカードカバー９０は、図１２及び図１６（ａ）、（ｂ）を参照すると、幅Ｗ９０、高さＨ９０、厚さＴ９０とされる略矩形状の板状部材とされるカバー本体９１と、本実施例ではカバー本体９１の下方端９１ａに位置してカバー本体９１から水平方向へと突出した板状の操作用突起９２とされる操作手段とを有している。突起９２は、カバー９０を上下移動させる摘み（操作片）として機能する。突起９２の幅Ｗ９１は、カバー本体９１の幅Ｗ９０より小さくされ、カバー本体９１の水平方向両端部９１ｃは、詳しくは後述するように、サイドパネル３０Ａに形成されたガイド溝４３への支持部を形成する。また、カバー本体９１の両端部９１ｃには、ガイド溝４３の内側に当接し、移動時のガタ付きを抑制するガイドリブ９３が形成される。
【００９２】
尚、本実施例では、カバー本体９１は、矩形状であるとして説明するが、矩形である必要はなく、例えば、上方端縁９１ｂ及び／又は下方端縁９１ａは、直線とはせず、山形或いは多角形状、更には、円弧状とすることもできる。
【００９３】
図１４、図１５（ａ）、（ｂ）を参照すると、サイドパネル３０Ａは、側板８１に対して、上方より空隙幅Ｇ４３、横幅Ｗ４３にて上方端部より下方へと所定長Ｌ４３だけ延在した空間部が形成される。これにより、サイドパネル３０Ａを測定器本体２に装着した際に、測定器本体２と対面する側に内壁部材４１が形成され、また、この内壁部材４１から測定器本体２とは反対側に空隙幅Ｇ４３だけ離間して外壁部材４２が形成される。
【００９４】
内壁部材４１には、メモリーカードスロット２０が形成される。メモリーカードスロット２０は、上述したように、サイドパネル３０Ａを測定器本体２に装着した際、側板４Ａに形成したメモリーカード装着開口３０１とメモリカードの抜き差し方向にて整列するように形成されている。
【００９５】
また、外壁部材４２には、メモリーカードカバー９０の突起９２が上下方向に移動可能とするために、操作用突起９２の幅Ｗ９１より幅広であるが、カバー本体９１の幅Ｗ９０より狭くされた幅Ｗ４４の開口部４４が形成される。
【００９６】
従って、内壁部材４１と外壁部材４２との間には、両部材４１、４２が協働することにより板状部材とされるメモリーカードカバー９０を保持して上下方向に案内するガイド溝４３が形成される。
【００９７】
図１５（ｂ）に示すように、サイドパネル３０Ａの側板８１は、内壁部材４１のメモリーカードスロット２０より所定距離だけ上方に位置した上端面４１ａより上方の、前記メモリーカードスロット２０とは反対側の領域も又切除され、空間部Ｖ１が形成される。また、外壁部材４２の開口部４４の上端４４ａ（即ち、外壁部材４２の端縁４２ａ）は、内壁部材４１の上端面４１ａより距離Ｈ４３だけ上方に位置しており、従って、サイドパネル３０Ａの内面側より見ると、内壁部材４１の上方に、幅Ｗ４３、高さＨ４３の空間Ｖ２が形成されることとなる。
【００９８】
次に、図１６〜図１８を参照して、上記構成とされるサイドパネル３０Ａにメモリーカードカバー９０を組み立てる方法について説明する。
【００９９】
先ず、図１６（ａ）、（ｂ）、及び、図１７（ａ）、（ｂ）に示すように、測定器本体２に装着される前の単部品状態にあるサイドパネル３０Ａに対して、メモリーカードカバー９０を、メモリーカードカバー９０の突起９２がサイドパネル３０Ａの内壁部材４１側に位置するように配置する（図１６（ａ））。次いで、メモリーカードカバー９０をサイドパネル３０Ａの内壁部材４１の側から、内壁部材４１の上端面４１ａ上部に形成された空間部Ｖ１に適合させる。この時、メモリーカードカバー９０の突起９２は、内壁部材４１の上端面４１ａと、外壁部材４２の開口部４４の上端縁４４ａとにて形成される空間Ｖ２（図１５）を通って開口部４４へと進入することとなる。
【０１００】
つまり、サイドパネル３０Ａの側板８１には、外壁部材４２の開口部上端縁４４ａと、内壁部材上端面４１ａとの間に、メモリーカードカバー９０を垂直に保持した状態にて突起９２が開口部４４へと挿通可能な空間Ｖ１、Ｖ２が形成されている。従って、図１７（ａ）、（ｂ）に示すように、サイドパネル３０Ａを測定器本体２に装着する前に、メモリーカードカバー９０をサイドパネル３０Ａの測定器本体２に対面する側から外壁部材４２の内壁部材４１側の裏面に押し当て、次いで、図１７（ｂ）に示すように、メモリーカードカバー９０の突起９２を外壁部材４２の開口部上端縁４４ａと内壁部材上端面４１ａとの間に形成された空間Ｖ２を通って開口部４４に挿入する。これにより、メモリーカードカバー９０の両側部９１の下方端は、ガイド溝４３の上方挿入開口端４３ａの位置に配置される。次いで、メモリーカードカバー９０を下方へと移動させてメモリーカードカバー９０の両側部保持部９１ｃをガイド溝４３に配置する。メモリーカードカバー９０の両側部保持部９１ｃに形成したガイドリブ９３（図１６（ｂ））がガイド溝４３の内側溝壁面に摺動自在に当接することにより、メモリーカードカバー９０が適当な摩擦力にて、ガタ付くことなく、上下動自在とされる。
【０１０１】
次いで、メモリーカードカバー９０が組み込まれたサイドパネル３０Ａは、図１１に関連して上述したと同様に、図１８（ａ）に示すように、先ず、サイドパネル下取付け部８３をプロテクタ３Ａ内に位置させ、サイドパネル上取付け部８２がプロテクタ３Ａから離間した傾斜状態に維持する。次いで、矢印Ａで示すようにサイドパネル３０Ａを斜め下方に押下げ、サイドパネル下取付け部８３の凹状溝部８８（即ち、突片８６、８７）が、図１８（ｂ）に示すように、測定器本体２の外側端縁フランジ５４とプロテクタ３Ａのリブ７２とを挟み込むようにして装着される。次いで、矢印Ｂで示すように、サイドパネル３０Ａを、サイドパネル下取付け部８３を支点として、サイドパネル３０Ａの上端をプロテクタ３Ａの方へと押圧する。
【０１０２】
これによって、図１２に示すように、サイドパネル３０Ａのリブ状突起８４がプロテクタ３Ａの溝６２に係合し、サイドパネル３０Ａの凹状溝８５には、プロテクタ３Ａの突起６３が嵌入する。同時に、サイドパネル３０Ａの凹状溝部８８は、測定器本体２の外側端縁フランジ５４とサイドパネル３０Ａのリブ７２とをしっかりと挟持した状態で保持する。
【０１０３】
このように極めて簡単な組み立て操作によって、サイドパネル３０Ａはプロテクタ３Ａにしっかりと取り付けられる。
【０１０４】
また、図１２に示すように、サイドパネル３０Ａを測定器本体２に装着した時、内壁部材４１の上端面４１ａは、測定器本体２のフランジ５２より下方へと延在して一体に形成された規制部材５２ｃに形成された第１の突起５２ｃ１に当接する。また、規制部材５２ｃは、更に、サイドパネル３０Ａの内壁部材４２側へと、内壁部材４２の開口部４４の上端縁４４ａの位置にまで延在した第２の突起５２ｃ２をも有しており、上方へと移動したメモリーカードカバー９０の上端縁９１ｂに当接し、カバー９０の更なる上方への移動（飛び出し）を規制する部材として機能する。従って、メモリーカードカバー９０がサイドパネル３０Ａから脱落することはない。
【０１０５】
このようにして組み立てられたメモリーカードカバー９０は、サイドパネル３０Ａに摺動自在に保持されて、メモリーカード装着部３００に対するメモリーカード装着開口３０１へのメモリーカード２００の抜き差し方向と直交する方向に移動してメモリーカード装着開口３０１を開閉することができる。従って、プロテクタ３を備えているにも関わらず、万一にメモリーカード２００が抜ける方向に振動、衝撃が加わったとしてもカバー９０が開くことはない。これにより、極めて信頼度の高い電子機器を提供することができる。
【０１０６】
また、本実施例によると、図１３（ａ）に示すように、内壁部材４１のメモリーカードカバー９０と対面する側面には、メモリーカードカバー９０に接触する保持用突起４５が形成されている。本実施例では、メモリーカードスロット２０の上側で、スロット２０の横方向長さのほぼ中央部に一つ、スロット２０の下側で、スロット２０の両端部近傍にそれぞれ一つ、合計３つの突起４５が形成されている。
【０１０７】
従って、図１６（ａ）に示すように、メモリーカードカバー９０の内壁部材４１と対応する側面には、上記保持用突起４５に対応して、メモリーカードカバー９０が上方へと移動し、閉位置に位置した時に保持用突起４５に嵌合するように、上方に一つ、下方に二つの凹部９４が形成されている。各凹部９４に対し垂直方向に整列して、案内溝９５が形成されている。従って、案内溝９５は、メモリーカードカバー９０が上方へと移動する際に保持用突起４５に嵌り、メモリーカードカバー９０の案内を行い、上方位置に移動したときに保持用突起４５がメモリーカードカバー９０の凹部９４に嵌合することとなる。従って、メモリーカードカバー９０は、上方に移動した閉鎖位置では、その場に拘束されその状態に保持される。一方、下方の位置では、拘束されることはない。ガイド溝４３の幅が、或いは、ガイド溝４３、４３の間の間隔が徐々に狭くなるようにテーパを持たせるなどの構造で、メモリーカードカバー９０が下方の位置で拘束されるようにしてもよい。
【０１０８】
更に、メモリーカードカバー９０の内壁部材４１と対応する面には、メモリーカードカバー９０が上方へと移動し、開位置から閉位置へと移動するときに、メモリーカード装着部３００に装着されたメモリーカード２００の挿入方向後端面に摺接し、メモリーカード２００をメモリーカード装着部３００内方向へと付勢するために、縦方向に延在した平行な二つの突起状リブ９６が形成されている。従って、突起状リブ９６は、メモリーカードカバー９０が上方へと移動し、閉位置へと移動するときに、メモリーカード装着部３００に装着されたメモリーカード２００の抜き差し方向後端面に摺接し、メモリーカード２００をメモリ装着部内へと付勢する。
【０１０９】
実施例２
上記実施例１では、メモリーカードカバー９０は、操作手段として、カバー本体９１の下方端に位置して、カバー本体９１から水平方向へと突出した板状の操作用突起９２が設けられた場合について説明した。
【０１１０】
本実施例では、図１９に示すように、操作手段は、突起９２ではなく凹部９２ａとされる。操作者は、この凹部９２ａに指や爪をかけて、メモリーカードカバー９０を上下方向へとスライドさせることができる。
【０１１１】
本実施例では、図２０に示すように、サイドパネル３０Ａを機器本体２に装着する前に、メモリーカードカバー９０をガイド溝４３の一側、即ち、本実施例では上方に形成したメモリーカードカバー挿入開口端４３ａからガイド溝４３へとメモリーカードカバー４３の両側部を嵌合させて装着することができる。
【０１１２】
勿論、実施例１と同様に、図１７（ａ）に示すように、メモリーカードカバー９０をサイドパネル３０Ａの測定器本体２に対面する側から外壁部材４２の内壁部材４１側の裏面に押し当て、次いで、図２０に示すように、メモリーカードカバー挿入開口端４３ａからガイド溝４３へとメモリーカードカバー４３の両側部保持部９１ｃを嵌合させて装着することができる。
【０１１３】
一方、本実施例では、メモリーカードカバー９０に実施例１のような突起９２を備えておらず、従って、外壁部材４２の開口部上端縁４４ａと内壁部材上端面４１ａとの間に形成された空間Ｖ２は必ずしも必要ではない、即ち、Ｖ２は形成されなくてもよい。場合によっては、外壁部材４２の開口部上端縁４４ａは、内壁部材上端面４１ａより、図２０にて下方に位置していてもよい。
【０１１４】
上記実施例１、２で説明した構成とされる本発明に係るメモリーカード付きの電気機器によれば、プロテクタ３を備えた構造とされた場合であっても、万一、メモリーカードの抜ける方向に振動、衝撃が加わったとしもカバーが開くことがない。また、メモリーカードの挿入方向後端面をカバーが常時押すことができ、通常使用時の静的状態でのカード保持状態の安定性、信頼性を向上させることができる。更には、例えプロテクタを備えた複雑な構造であっても、別部品とされるサイドパネルに対し単品状態でカバーの組立を容易に行うことができ、プロテクタと共に機器本体への組み立てが容易である。また、サイドパネルを機器本体へと組立後においてはカバーの取り外しができないという利点をも有している。
【０１１５】
尚、上記実施例では、サイドパネル３０Ａは、測定器本体２の側面部に取り付けられたプロテクタを介して測定器本体に取り付けるものとして説明したが、サイドパネルを介さずに直接測定器本体２の側面部に取り付ける構造であっても良い。  この場合、サイドパネルを測定器本体２に取り付けるのは、取付けネジなどであっても良い。
【０１１６】
また、上記実施例では、メモリーカードはメモリーカード装着部に対し水平方向に抜き差しするものとして説明したが、上述したように、他の方向からの抜き差しも可能であり、この場合も本願発明の原理を適用して、上述のような作用効果を達成することができる。
【符号の説明】
【０１１７】
１                                  測定器（電子機器）
２                                  測定器本体（機器本体）
２Ａ                                上ケース
２Ｂ                                下ケース
３（３Ａ、３Ｂ）                    プロテクタ
４（４Ａ、４Ｂ）                    側板
２０                                メモリーカードスロット
３０（３０Ａ、３０Ｂ）              サイドパネル
３１、３２、３３                    突片（第１の係止部）
３７、３８                          溝状穴（穴溝）（第２の被係止部）
４１                                内壁部材
４２                                外壁部材
４３                                ガイド溝
４４                                開口部
５０                                プロテクタ取付け部
５１（５１ａ、５１ｂ、５１ｃ）      溝状穴（穴溝）（第１の被係止部）
５２，５４                          フランジ
５３、５５                          突片（第２の係止部）
６０                                溝形成部（サイドパネル取付け部）
６２、６３                          溝、突起（第３の係止部）
７０                                リブ形成部（サイドパネル取付け部）
７２                                リブ
８１                                サイドパネル側板
８２                                サイドパネル上取付け部
８３                                サイドパネル下取付け部
８４、８５                          突起、溝（第３の被係止部）
８６、８７                          リブ状突起
８８                                凹状溝部（第４の係止部）
９０                                メモリーカードカバー
９１                                カバー本体
９２、９２ａ                        操作手段
２００                              メモリーカード
３００                              メモリーカード装着部
３０１                              メモリーカード装着開口
【図１】
0005624897.tif 000002
【図２】
0005624897.tif 000003
【図３】
0005624897.tif 000004
【図４】
0005624897.tif 000005
【図５】
0005624897.tif 000006
【図６】
0005624897.tif 000007
【図７】
0005624897.tif 000008
【図８】
0005624897.tif 000009
【図９】
0005624897.tif 000010
【図１０】
0005624897.tif 000011
【図１１】
0005624897.tif 000012
【図１２】
0005624897.tif 000013
【図１３】
0005624897.tif 000014
【図１４】
0005624897.tif 000015
【図１５】
0005624897.tif 000016
【図１６】
0005624897.tif 000017
【図１７】
0005624897.tif 000018
【図１８】
0005624897.tif 000019
【図１９】
0005624897.tif 000020
【図２０】
0005624897.tif 000021